(57)【要約】【課題】固い光と柔らかい光を１つのストロボ装置から照射して撮影を行うことにより、良い写りの画像を提供することができるようにする。【解決手段】本技術の一側面の写真シール作成装置は、利用者を被写体とした撮影を行うカメラと、利用者に光を照射するストロボ装置を備える。当該ストロボ装置の内部には、カメラによる撮影に合わせて発光するストロボ発光管と、ストロボ発光管との間に隙間を空けて、利用者側の位置を正面側の位置として、ストロボ発光管の背面側に配置された反射板とが設けられる。本技術は、利用者を撮影し、撮影画像に対して利用者に編集を行わせ、編集後の画像をシール紙に印刷して提供する写真シール作成装置に適用することができる。【選択図】図１６
2017037123.tif 000002
【特許請求の範囲】
【請求項１】
利用者を被写体とした撮影を行うカメラと、
前記利用者に光を照射するストロボ装置であって、
前記カメラによる撮影に合わせて発光するストロボ発光管と、
前記ストロボ発光管との間に隙間を空けて、前記利用者側の位置を正面側の位置として、前記ストロボ発光管の背面側に配置された反射板と
が内部に設けられた前記ストロボ装置と
を備える写真シール作成装置。
【請求項２】
前記ストロボ発光管の背面側に、前記ストロボ発光管と隙間を空けて、正面視の大きさが前記反射板より小さい平板状の反射部が設けられる
請求項１に記載の写真シール作成装置。
【請求項３】
前記ストロボ装置の正面側に拡散カバーが設けられる
請求項１または２に記載の写真シール作成装置。
【請求項４】
前記ストロボ装置は、前記カメラを内部に有する撮影装置の上方に、前記拡散カバーの少なくとも一部が前記撮影装置より前記利用者側の位置に近づくように設けられる
請求項３に記載の写真シール作成装置。
【請求項５】
前記撮影装置は、前記カメラによる撮影に合わせて発光する他のストロボ発光管を内部に有し、
前記撮影装置を構成する前記利用者側の位置に向く面には、前記他のストロボ発光管の光を外部に導く、上縁と下縁の少なくとも一方が円弧状の開口部が形成される
請求項４に記載の写真シール作成装置。
【請求項６】
下縁が円弧状の前記開口部は、前記カメラのレンズの上方に形成される
請求項５に記載の写真シール作成装置。
【請求項７】
発光体として、前記カメラによる複数枚の画像の撮影期間中に常時発光する発光体のみを内部に有し、前面に拡散カバーが設けられた発光装置が前記撮影装置の左右に設けられる
請求項４乃至６のいずれかに記載の写真シール作成装置。
【請求項８】
前記ストロボ発光管は、発光管の形状が所定角度以上の円弧形状の部分を有する
請求項１乃至７のいずれかに記載の写真シール作成装置。
【請求項９】
前記反射板の正面視形状は多角形である
請求項１乃至８のいずれかに記載の写真シール作成装置。
【請求項１０】
前記ストロボ装置の内部には、前記カメラによる複数枚の画像の撮影期間中に常時発光する発光体がさらに設けられる
請求項１乃至９に記載の写真シール作成装置。
【請求項１１】
前記カメラによる画像の撮影モードに応じて、前記反射板と前記ストロボ発光管との間の隙間を制御する制御部をさらに備える
請求項１乃至１０に記載の写真シール作成装置。
【発明の詳細な説明】
【技術分野】
【０００１】
本技術は、写真シール作成装置に関し、特に、固い光と柔らかい光を１つのストロボ装置から照射して撮影を行うことにより、良い写りの画像を提供することができるようにした写真シール作成装置に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。通常、撮影空間には大型のストロボユニットが設けられ、撮影に合わせて、被写体としての利用者に光を照射する。
【０００４】
特許文献１には、立体感のある写りを生成するために縦長箱状のストロボ照明ボックスをカメラに向かって左右に設けた写真シール自動販売機が記載されている。写真シール自動販売機の外観を図３３に示し、ストロボ照明ボックスの内部の構造を図３４に示す。
【０００５】
なお、立体感のある写りとは、化粧方法の一環としてあるように、ハイライトを所定の領域に付与する等で顔に陰影を付けた写りである。その結果、顔に対してメリハリができることになる。
【０００６】
図３４に示すように、ストロボ照明ボックス１７の内部にはストロボ照明装置２２が設けられ、その上下に、複数枚の反射板２４ａ，２４ｂ、２４ｃをつなぎ合わせることで略曲面状に形成された反射板が設けられる。ストロボ照明ボックス１７の前面には平板状の拡散板２６が設けられており、拡散板２６の内側のストロボ照明装置２２の前方の一部の位置には、銀色に塗装された反射板２４ｄが貼り付けられる。
【０００７】
これにより、水平方向に出射したストロボ照明装置２２からの固い光を、拡散板２６の内側に設けた反射板２４ｄにより乱反射させ、拡散板２６を通して光を均一に拡散するようになされている。
【０００８】
特許文献２には、カメラとモニタを格納した箱体のカメラユニットの上方に上ストロボを設けた写真シール機が記載されている。上ストロボは撮影を行う利用者の顔付近を主に照射するものであり、利用者から見て、カメラユニットより背面側（奥側）に設けられる。
【先行技術文献】
【特許文献】
【０００９】
【特許文献１】特開２００１−３３７３８６号公報
【特許文献２】特許第５６６０２４０号公報
【発明の概要】
【発明が解決しようとする課題】
【００１０】
特許文献１に記載されたストロボ照明装置２２の光の多くは、拡散板２６を直接透過せずに、拡散板２６の内側に貼り付けられた反射板２４ｄで乱反射し、さらに、曲面を形成するように上下に配置された反射板で反射してから拡散板２６を透過することから、その光は柔らかい光になる。
【００１１】
すなわち、特許文献１のストロボ照明ボックス１７によっては固い光を照射することができず、立体感のある写りの画像を提供することができない。
【００１２】
ここで、固い光は、光源から発せられ、被写体に直接当たる光である。固い光を照射して撮影した画像は、光が直接当たった部分と影の部分との明るさの差が大きく、立体感が感じられるものになる。
【００１３】
一方、柔らかい光は、光源から発せられ、他の物質により反射・拡散して、被写体に間接的に当たる光である。柔らかい光を照射して撮影した画像は、光が当たった部分と影の部分との明るさの差が小さいものになる。なお、光源と照射面との距離によっても、固い光・柔らかい光が区別される。
【００１４】
特許文献２に記載された上ストロボはカメラユニットよりも背面側に設けられているため、利用者と上ストロボの間の距離が、カメラユニットよりも正面側（利用者側）に上ストロボを設けた場合と比較して遠くなる。このような配置を有する上ストロボを用いた場合、特許文献１に記載されたストロボ照明ボックスを用いた場合と同様に、固い光を利用者に当てることができない。光源から照射面との距離が離れるにつれ、光の性質はより柔らかいものになる。
【００１５】
上ストロボと同様の構成を有するストロボを、カメラユニットの左右の、利用者により近い位置に設けることで固い光を当てるようにすることも考えられるが、この場合、固い光同士の干渉が生じてしまう。固い光が干渉した状態で撮影した画像の写りは、立体感のある写りとなるが、影が出すぎてしまう。
【００１６】
立体感はあるが、嫌な影が無い状態の写りを理想の写りとすると、上述した技術によってはそのような写りを提供することができない。
【００１７】
本技術はこのような状況に鑑みてなされたものであり、固い光と柔らかい光を１つのストロボ装置から照射して撮影を行うことにより、良い写りの画像を提供することができるようにするものである。
【課題を解決するための手段】
【００１８】
本技術の一側面の写真シール作成装置は、利用者を被写体とした撮影を行うカメラと、前記利用者に光を照射するストロボ装置であって、前記カメラによる撮影に合わせて発光するストロボ発光管と、前記ストロボ発光管との間に隙間を空けて、前記利用者側の位置を正面側の位置として、前記ストロボ発光管の背面側に配置された反射板とが内部に設けられた前記ストロボ装置とを備える。
【００１９】
前記ストロボ発光管の背面側に、前記ストロボ発光管と隙間を空けて、正面視の大きさが前記反射板より小さい平板状の反射部を設けることができる。
【００２０】
前記ストロボ装置の正面側に拡散カバーを設けることができる。
【００２１】
前記ストロボ装置を、前記カメラを内部に有する撮影装置の上方に、前記拡散カバーの少なくとも一部が前記撮影装置より前記利用者側の位置に近づくように設けることができる。
【００２２】
前記撮影装置を、前記カメラによる撮影に合わせて発光する他のストロボ発光管を内部に有するものとすることができる。この場合、前記撮影装置を構成する前記利用者側の位置に向く面に、前記他のストロボ発光管の光を外部に導く、上縁と下縁の少なくとも一方が円弧状の開口部を形成することができる。
【００２３】
下縁が円弧状の前記開口部を、前記カメラのレンズの上方に形成することができる。
【００２４】
発光体として、前記カメラによる複数枚の画像の撮影期間中に常時発光する発光体のみを内部に有し、前面に拡散カバーを設けた発光装置を前記撮影装置の左右に設けることができる。
【００２５】
前記ストロボ発光管を、発光管の形状が所定角度以上の円弧形状の部分を有するものとすることができる。
【００２６】
前記反射板の正面視形状を多角形とすることができる。
【００２７】
前記ストロボ装置の内部に、前記カメラによる複数枚の画像の撮影期間中に常時発光する発光体をさらに設けることができる。
【００２８】
前記カメラによる画像の撮影モードに応じて、前記反射板と前記ストロボ発光管との間の隙間を制御する制御部をさらに設けることができる。
【発明の効果】
【００２９】
本技術によれば、固い光と柔らかい光を１つのストロボ装置から照射して撮影を行うことにより、良い写りの画像を提供することができる。
【図面の簡単な説明】
【００３０】
【図１】本技術の一実施形態に係る写真シール作成装置の外観の構成例を示す斜視図である。
【図２】利用者の移動について説明する図である。
【図３】撮影部の構成例を示す図である。
【図４】背景部の構成例を示す図である。
【図５】編集ユニットの構成例を示す図である。
【図６】編集ユニットの右側面の構成例を示す図である。
【図７】写真シール作成装置の内部の構成例を示すブロック図である。
【図８】制御部の機能構成例を示すブロック図である。
【図９】撮影処理部の機能構成例を示すブロック図である。
【図１０】写真シール作成ゲーム処理について説明するフローチャートである。
【図１１】図１０のステップＳ１において行われる撮影処理について説明するフローチャートである。
【図１２】ライブビュー表示画面の例を示す図である。
【図１３】側面視における撮影部の一部の構成を示す図である。
【図１４】平面視における撮影部の構成を示す図である。
【図１５】上ストロボユニットの内部の構成を示す図である。
【図１６】上ストロボユニットの内部を示す斜視図である。
【図１７】ストロボ発光管の正面視における配置を模式的に示す図である。
【図１８】ストロボ発光管と円形反射板の配置を模式的に示す図である。
【図１９】ストロボ光の当たり方の例を示す図である。
【図２０】ストロボ発光管の正面視における配置を模式的に示す図である。
【図２１】ストロボ光の当たり方の例を示す図である。
【図２２】左照明ユニットの構成例を示す図である。
【図２３】図２２のA-A線における断面を模式的に示す図である。
【図２４】カメラユニットを拡大して示す斜視図である。
【図２５】発光ユニットの構成例を示す斜視図である。
【図２６】発光ユニットの構成例を示す側面図である。
【図２７】キャッチライトの映り込みについて説明する図である。
【図２８】キャッチライトの映り込みについて説明する他の図である。
【図２９】カメラユニットの構成の他の配置の例を示す図である。
【図３０】上ストロボユニットの内部に設けられる光源の例を示す図である。
【図３１】上ストロボユニットの内部に設けられる反射板の第１の変形例を示す図である。
【図３２】上ストロボユニットの内部に設けられる反射板の第２の変形例を示す図である。
【図３３】従来技術を示す図である。
【図３４】従来技術を示す他の図である。
【発明を実施するための形態】
【００３１】
＜写真シール作成装置の外観構成＞
図１は、写真シール作成装置１の外観の構成例を示す斜視図である。
【００３２】
写真シール作成装置１は、撮影画像や編集済み画像を提供するゲーム機である。写真シール作成装置１は、画像をシール紙に印刷したり、利用者の携帯端末上で画像を閲覧可能にするためにその画像をサーバに送信したりすることで、利用者に画像を提供する。写真シール作成装置１は、アミューズメント施設や店舗に設置される。写真シール作成装置１の利用者は、主に女子高生や女子大生などの若い女性が中心とされる。写真シール作成装置１において、１組あたり主に２人や３人などの複数人の利用者がゲームを楽しむことができる。もちろん、１人の利用者がゲームを楽しむこともできる。
【００３３】
写真シール作成装置１において、利用者は、自身が被写体となって撮影作業を行う。利用者は、編集作業により、撮影によって得られた撮影画像の中から選択した画像に、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００３４】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００３５】
撮影ユニット１１は、撮影部２１と背景部２２から構成される。撮影部２１と背景部２２は離れて設置される。撮影部２１と背景部２２の間に設けられる空間が、利用者が撮影作業を行う撮影空間となる。
【００３６】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００３７】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００３８】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００３９】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ａと側面パネル５２Ａの下部は、床面に設けた金属製の部材（図示せず）によって連結される。
【００４０】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口も、撮影空間の出入り口となる。
【００４１】
撮影空間の上方には、撮影部２１の正面パネル４１、連結部３１Ａ、連結部３１Ｂ、および背景部２２の背面パネル５１に囲まれる開口が形成される。その開口の一部を覆うように天井照明ユニット３２が設けられる。天井照明ユニット３２の一端は連結部３１Ａに固定され、他端は連結部３１Ｂに固定される。
【００４２】
天井照明ユニット３２の内部には蛍光灯が設けられる。天井照明ユニット３２は、撮影空間の照明として機能するとともに、撮影を行っている利用者に対して光を照射する。
【００４３】
編集ユニット１２は、撮影画像に編集を施すための装置である。編集ユニット１２は、一方の側面が撮影部２１の正面パネル４１に接するようにして、撮影ユニット１１に連結している。
【００４４】
図１に示される編集ユニット１２の構成を正面側の構成とすると、編集ユニット１２の正面側と背面側のそれぞれに、編集作業で用いられる構成が設けられる。この構成により、２組の利用者が同時に編集を行うことができる。
【００４５】
編集ユニット１２の正面側は、面１２Ａと、面１２Ａの上方に形成された斜面１２Ｂから構成される。面１２Ａは、床面に対して垂直であり、撮影部２１の側面パネル４２Ａとほぼ平行な面である。斜面１２Ｂには、編集作業に用いられる構成として、タブレット内蔵モニタやタッチペンが設けられる。
【００４６】
斜面１２Ｂの上方右側には、照明装置７３の一端を支持する柱状の支持部７１Ａ（図５）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテンレール７５を支持する支持部７４が設けられる。
【００４７】
編集ユニット１２の上方にはカーテンレール７５が取り付けられる。カーテンレール７５は、３本のレール７５Ａ乃至７５Ｃが組み合わされて構成される。３本のレール７５Ａ乃至７５Ｃは、上から見たときの形状がコの字状となるように組み合わされる。平行に設けられるレール７５Ａとレール７５Ｂの一端は、連結部３１Ａと連結部３１Ｂにそれぞれ固定され、レール７５Ａとレール７５Ｂの他端は、レール７５Ｃの両端にそれぞれ接合される。
【００４８】
カーテンレール７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００４９】
また、後述するが、編集ユニット１２の右側面には、印刷済みのシール紙が排出される排出口が設けられる。編集ユニット１２の右側面前方の空間が、印刷が終了するのを利用者が待つ印刷待ち空間となる。
【００５０】
＜利用者の移動について＞
ここで、写真シール作成ゲームの流れと、それに伴う利用者の移動について説明する。
【００５１】
図２は、写真シール作成装置１を上から見た平面図である。
【００５２】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００５３】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００５４】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００５５】
編集空間Ａ２−１または編集空間Ａ２−２に移動した利用者は、編集作業を開始する。編集空間Ａ２−１の利用者と、編集空間Ａ２−２の利用者は同時に編集作業を行うことができる。
【００５６】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ間、例えば、サーバに送信する画像の選択や、利用者が持つ携帯端末のメールアドレスの入力を事後選択作業として行う。
【００５７】
印刷が終了すると、利用者は、編集ユニット１２の右側面に設けられた排出口から排出されたシール紙を受け取り、一連の写真シール作成ゲームを終える。
【００５８】
次に、各部の構成について説明する。
【００５９】
＜撮影部の構成＞
図３は、撮影部２１の正面の構成例を示す図である。撮影部２１は、正面パネル４１、側面パネル４２Ａ、および側面パネル４２Ｂに囲まれるようにして構成される。
【００６０】
正面パネル４１のほぼ中央には、カメラユニット８１が設けられる。カメラユニット８１の中央上方寄りの位置には、カメラユニット８１の内部に取り付けられたカメラ９１のレンズが露出して設けられる。
【００６１】
カメラ９１は一眼レフカメラである。カメラ９１は、CCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９３にリアルタイムで表示される。撮影が指示されたときなどの所定のタイミングでカメラにより取り込まれた静止画像は撮影画像として保存される。
【００６２】
カメラ９１の上には正面ストロボ９２が設けられる。正面ストロボ９２は、他のストロボと同様にカメラ９１による撮影に合わせて発光する。正面ストロボ９２は、被写体としての利用者の顔付近に、その正面からストロボ光を照射する。
【００６３】
カメラ９１の下にはタッチパネルモニタ９３が設けられる。タッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)パーツを表示することで、利用者の選択操作を受け付ける機能とを備える。タッチパネルモニタ９３には、カメラ９１により取り込まれたライブビュー画像や静止画像（撮影画像）が表示される。
【００６４】
カメラユニット８１の上方には、曲面のカバーを利用者に向けた上ストロボユニット８２が設置される。上ストロボユニット８２は、所定の取り付け部材を用いて、正面パネル４１などに固定される。上ストロボユニット８２は、正面上方から、利用者の顔付近にストロボ光を照射する。
【００６５】
カメラユニット８１の左右には、曲面のカバーを利用者に向けた左照明ユニット８３と右照明ユニット８４とがそれぞれ設置される。左照明ユニット８３と右照明ユニット８４は、それぞれ、電球などの発光体を内部に有する発光装置である。左照明ユニット８３と右照明ユニット８４は、撮影空間の照明として機能するとともに、撮影を行っている利用者に対して補助光を照射する。
【００６６】
カメラユニット８１、上ストロボユニット８２、左照明ユニット８３、および右照明ユニット８４の構成については後に詳述する。
【００６７】
カメラユニット８１の下方には、カメラ９１による撮影に合わせて利用者の下半身および足元にストロボ光を照射する足元ストロボユニット８５が設けられる。
【００６８】
足元ストロボユニット８５の左右には、足元ストロボユニット８５より高さの低い箱状部８６Ａ，８６Ｂが設けられる。箱状部８６Ａ，８６Ｂそれぞれの上面は、利用者が手荷物などを置くための荷物置き場となる。
【００６９】
さらに、箱状部８６Ｂには、利用者が硬貨を投入する硬貨投入口８７が設けられる。
【００７０】
また、図示はしないが、正面パネル４１の例えば天井付近にはスピーカが設けられる。そのスピーカは、撮影作業に関する案内音声、BGM、効果音などを出力する。
【００７１】
＜背景部の構成＞
図４は、背景部２２の撮影空間Ａ１側の構成例を示す図である。
【００７２】
背面パネル５１の上方中央には背面上ストロボ１２１が設けられる。また、背面パネル５１の上方右側（図中、左側）には背面右ストロボ１２２が設けられ、背面パネル５１の上方左側（図中、右側）には背面左ストロボ１２３が設けられる。
【００７３】
背面上ストロボ１２１は、後方上側から利用者にストロボ光を照射する。背面右ストロボ１２２は、後方右側から利用者にストロボ光を照射する。背面左ストロボ１２３は、後方左側から利用者にストロボ光を照射する。
【００７４】
背面パネル５１の撮影空間Ａ１側（図中、手前側）の面には、背面カーテン１２４が貼り付けられる。背面カーテン１２４の色は、例えば緑色とされる。また、図示はしないが、側面パネル５２Ａ，５２Ｂそれぞれの撮影空間Ａ１側にも、背面カーテン１２４と同様の側面カーテンが貼り付けられる。側面カーテンの色は、背面カーテン１２４の色と同一とする。
【００７５】
これらのカーテンはクロマキー用のカーテンとして用いられる。これにより、撮影画像に対してクロマキー処理を施し、利用者が所望する背景画像を、撮影画像の背景部分に合成することができる。なお、これらのカーテンの色は、クロマキー処理を行うことができる色であればよく、青色など、その他の色であってもよい。
【００７６】
＜編集ユニットの構成＞
図５は、編集ユニット１２の正面側（編集空間Ａ２−１側）の構成例を示す図である。
【００７７】
斜面１２Ｂのほぼ中央には、タブレット内蔵モニタ１３１が設けられる。タブレット内蔵モニタ１３１の左側にはタッチペン１３２Ａが設けられる。タブレット内蔵モニタ１３１の右側にはタッチペン１３２Ｂが設けられる。
【００７８】
タブレット内蔵モニタ１３１は、タッチペン１３２Ａまたはタッチペン１３２Ｂを用いた操作入力を可能とする。タブレット内蔵モニタ１３１には、例えば、編集作業に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７９】
図６は、編集ユニット１２の右側面の構成例を示す図である。
【００８０】
編集ユニット１２の右側面の一部を構成するパネル７２には、タブレット内蔵モニタ１４１が設けられる。タブレット内蔵モニタ１４１には、事後選択作業に用いられる画面が表示される。
【００８１】
編集ユニット１２の右側面の下部には、シール紙排出口１４２が設けられる。編集ユニット１２の内部にはプリンタが設けられている。そのプリンタにより、編集空間Ａ２−１の利用者が写る画像、または、編集空間Ａ２−２の利用者が写る画像が所定のレイアウトでシール紙に印刷され、シール紙排出口１４２から排出される。
【００８２】
タブレット内蔵モニタ１４１の下方には、スピーカ１４３が設けられる。スピーカ１４３は、事後選択作業に関する案内音声、BGM、効果音等などを出力する。
【００８３】
＜写真シール作成装置の内部構成＞
図７は、写真シール作成装置１の内部の構成例を示すブロック図である。図７において、上述した構成と同じ構成には同じ符号を付してある。重複する説明については適宜省略する。
【００８４】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ，２０９Ｂ、および事後選択部２１０の各構成も接続される。
【００８５】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８６】
通信部２０３は、インターネットなどのネットワークのインタフェースである。通信部２０３は、制御部２０１による制御に従って外部の装置と通信を行う。通信部２０３は、例えば、利用者に選択された撮影画像や編集画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８７】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００８８】
ROM２０６は、制御部２０１において実行されるプログラムやデータを記憶する。RAM２０７は、制御部２０１が処理するデータやプログラムを一時的に記憶する。
【００８９】
撮影部２０８は、撮影空間Ａ１にいる利用者を対象とした撮影処理を実現する。撮影部２０８は、硬貨処理部２２１、照明装置２２２、カメラ９１、タッチパネルモニタ９３、およびスピーカ２２３から構成される。
【００９０】
硬貨処理部２２１は、硬貨投入口８７への硬貨の投入を検出する。硬貨処理部２２１は、例えば４００円などの所定の金額分の硬貨が投入されたことを検出した場合、ゲームの開始を指示する起動信号を制御部２０１に出力する。
【００９１】
照明装置２２２は、撮影空間Ａ１内に設けられる、天井照明ユニット３２、上ストロボユニット８２、左照明ユニット８３、右照明ユニット８４、足元ストロボユニット８５、正面ストロボ９２、背面上ストロボ１２１、背面右ストロボ１２２、および背面左ストロボ１２３の各照明装置である。照明装置２２２のそれぞれは、制御部２０１から供給される照明制御信号に従って発光する。
【００９２】
カメラ９１は、制御部２０１によるシャッタ制御に従って撮影を行い、撮影によって得られた撮影画像（画像データ）を制御部２０１に出力する。
【００９３】
編集部２０９Ａは、編集空間Ａ２−１にいる利用者を対象とした編集処理を実現する。編集部２０９Ａは、タブレット内蔵モニタ１３１、タッチペン１３２Ａ，１３２Ｂ、およびスピーカ２３１から構成される。編集部２０９Ｂは、編集空間Ａ２−２にいる利用者を対象とした編集処理を実現し、編集部２０９Ａと同一の構成を有する。なお、以下、編集部２０９Ａ，２０９Ｂを特に区別しない場合には、単に、編集部２０９という。
【００９４】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像が編集される。
【００９５】
事後選択部２１０は、印刷待ち空間Ａ３にいる利用者を対象とした事後選択処理を実現する。事後選択処理は、事後選択作業を利用者に行わせるための処理である。事後選択部２１０は、タブレット内蔵モニタ１４１、スピーカ１４３、およびプリンタ２４１から構成される。プリンタ２４１にはシール紙ユニット２４２が装着される。
【００９６】
タブレット内蔵モニタ１４１は、制御部２０１による制御に従って各種の選択画面等を表示し、その画面に対する利用者の操作を受け付ける。利用者の操作の内容を表す入力信号は制御部２０１に供給され、各種の設定が行われる。
【００９７】
プリンタ２４１は、制御部２０１から供給された印刷データに基づいて、シール紙ユニット２４２に収納されているシール紙に編集画像を印刷する。プリンタ２４１は、編集画像を所定のレイアウトで印刷したシール紙を、シール紙排出口１４２に排出する。
【００９８】
＜制御部の構成＞
図８は、制御部２０１の機能構成例を示すブロック図である。図８に示す機能部のうちの少なくとも一部は、制御部２０１内のCPUにより所定のプログラムが実行されることによって実現される。
【００９９】
制御部２０１は、撮影処理部３０１、編集処理部３０２、印刷処理部３０３、および事後選択処理部３０４から構成される。
【０１００】
撮影処理部３０１は、撮影部２０８の各部を制御することで、撮影処理を行う。編集処理部３０２は、編集部２０９の各部を制御することで、編集処理を行う。印刷処理部３０３は、事後選択部２１０のプリンタ２４１を制御することで、印刷処理を行う。事後選択処理部３０４は、事後選択部２１０のタブレット内蔵モニタ１４１を制御することで、事後選択処理を行う。
【０１０１】
＜撮影処理部の構成例＞
図９は、撮影処理部３０１の機能構成例を示すブロック図である。
【０１０２】
撮影処理部３０１は、表示制御部３１１、撮影制御部３１２、画像処理部３１３、および照明制御部３１４から構成される。
【０１０３】
表示制御部３１１は、タッチパネルモニタ９３の表示を制御する。例えば、表示制御部３１１は、カメラ９１に取り込まれたライブビュー画像や、撮影結果である撮影画像をタッチパネルモニタ９３に表示させる。
【０１０４】
撮影制御部３１２は、カメラ９１を制御することで、被写体が写る動画像をライブビュー画像として取り込む。また、撮影制御部３１２は、撮影のタイミングで得られた静止画像を撮影画像として取り込む。
【０１０５】
画像処理部３１３は、カメラ９１に取り込まれたライブビュー画像や撮影画像に対して所定の画像処理を施す。画像処理部３１３による画像処理には、画像に写る利用者の顔の大きさ、目の大きさの調整、肌の色の調整などが含まれる。
【０１０６】
照明制御部３１４は、撮影空間Ａ１内の照明装置２２２の発光を制御する。例えば、照明制御部３１４は、撮影作業が行われている間、天井照明ユニット３２、上ストロボユニット８２、左照明ユニット８３、右照明ユニット８４、足元ストロボユニット８５の内部に設けられる電球や蛍光灯などの発光体を常時発光させる。また、照明制御部３１４は、カメラ９１による撮影画像の撮影タイミングに合わせて、上ストロボユニット８２、足元ストロボユニット８５、正面ストロボ９２、背面上ストロボ１２１、背面右ストロボ１２２、および背面左ストロボ１２３の内部に設けられるストロボ発光管を発光させ、利用者にストロボ光を照射する。
【０１０７】
＜写真シール作成装置の動作＞
ここで、図１０のフローチャートを参照して、写真シール作成ゲームを提供する写真シール作成装置１の動作について説明する。図１０の処理は、所定の金額分の硬貨が硬貨投入口８７に投入されたときに開始される。
【０１０８】
ステップＳ１において、撮影処理部３０１は、撮影部２０８を制御することで、撮影処理を行う。具体的には、撮影処理部３０１は、カメラ９１に取り込まれた被写体のライブビュー画像をタッチパネルモニタ９３に表示させ、撮影空間Ａ１にいる利用者を被写体として撮影し、撮影画像を生成する。撮影処理の詳細については図１１のフローチャートを参照して後述する。
【０１０９】
ステップＳ２において、編集処理部３０２は、撮影処理を終えた利用者の移動先とした方の編集空間に対応する編集部２０９を制御することで、編集処理を行う。具体的には、編集処理部３０２は、撮影処理により得られた撮影画像に対して利用者に編集作業を行わせることで、編集が施された編集画像を生成する。
【０１１０】
ステップＳ３において、印刷処理部３０３は、プリンタ２４１を制御することで、印刷処理を開始する。具体的には、印刷処理部３０３は、編集処理により得られた編集画像を、プリンタ２４１に出力してシール紙に印刷させる。なお、撮影処理により得られた撮影画像が、シール紙に印刷されるようにしてもよい。
【０１１１】
ステップＳ４において、事後選択処理部３０４は、タブレット内蔵モニタ１４１を制御することで、事後選択処理を行う。具体的には、事後選択処理部３０４は、印刷が終わるのを待っている利用者に事後選択作業を行わせ、選択された撮影画像や編集画像を利用者の携帯端末に送信するために、その画像をサーバに送信する。
【０１１２】
印刷が終了すると、ステップＳ５において、プリンタ２４１は、画像が印刷されたシール紙をシール紙排出口１４２に排出し、処理を終了させる。
【０１１３】
＜撮影処理の詳細＞
次に、図１１のフローチャートを参照して、図１０のステップＳ１において行われる撮影処理の詳細について説明する。
【０１１４】
ステップＳ２１において、表示制御部３１１は、写りコース選択画面をタッチパネルモニタ９３に表示させる。
【０１１５】
写りコース選択画面は、被写体の写りのコースである写りコースの選択に用いられる画面である。写りコースに応じて、異なる写りの撮影画像が得られる。
【０１１６】
写りコースには、例えば「Lightコース」と「Clearコース」とがある。Lightコースは、肌の色を若干黄みを帯びた色にすることで、被写体の肌の質感を自然でうるおいのあるものにするコースである。Clearコースは、肌の色を若干青みを帯びた色にすることで、被写体の肌の質感を色白で透明感のあるものにするコースである。
【０１１７】
被写体の写りは、撮影画像に施す画像処理の種類などによって変わる。例えば、被写体の写りは、撮影画像における人物領域の彩度、明度、シャープネス、コントラストなどの少なくともいずれかを調整することで決定される。被写体の写りを、撮影空間Ａ１内の各ストロボの配置、ストロボ光の発光量や発光タイミングなどを制御することで変えるようにしてもよい。
【０１１８】
写りコース選択画面から写りコースが選択されたとき、撮影制御部３１２は、カメラ９１を制御することで、動画像の取り込みを開始する。表示制御部３１１は、取り込まれた動画像をライブビュー画像としてタッチパネルモニタ９３に表示させる。
【０１１９】
図１２は、ライブビュー表示画面の例を示す図である。
【０１２０】
ライブビュー表示画面の上方には、「撮影するよ」のメッセージが表示される。ライブビュー表示画面のほぼ中央には、画像表示領域４２１が設けられる。画像表示領域４２１には、利用者が映る動画像であるライブビュー画像がリアルタイムで表示される。図１２の例においては、２人の利用者が映るライブビュー画像が表示されている。利用者は、画像表示領域４２１に表示されるライブビュー画像を見ることで自分たちの写り方を確認することができる。
【０１２１】
画像表示領域４２１の下に設けられた５つの画像表示領域４２２−１乃至４２２−５には、撮影の結果として得られる撮影画像が縮小して表示される。画像表示領域４２２−１乃至４２２−５のうち、これから行われる撮影に対応する画像表示領域は、太枠で強調表示される。図１２のライブビュー表示画面は、１回目の撮影の前に表示される画面であり、１回目の撮影に対応する画像表示領域である画像表示領域４２２−１が強調表示されている。
【０１２２】
このようなライブビュー画像が所定の時間表示された後、撮影前のカウントダウンが開始される。撮影のタイミングになったとき、ステップＳ２２において、撮影処理部３０１は、１回目の撮影を行う。
【０１２３】
図１０の撮影処理においては例えば５回の撮影が行われる。５回の撮影のうち、１乃至３回目の撮影としてアップ撮影が行われ、４，５回目の撮影として斜め撮影が行われる。
【０１２４】
アップ撮影は、利用者の顔および上半身が写る撮影画像を得るための撮影である。斜め撮影は、利用者の顔および上半身が傾いて写る撮影画像を得るための撮影である。
【０１２５】
この例においては、撮影モードとしてアップ撮影と斜め撮影が用意されるものとしたが、カメラ９１の撮影範囲を広げ、利用者の全身が写る撮影画像を得るための撮影である全身撮影が用意されるようにしてもよい。撮影モードに応じて、撮影範囲などが異なる撮影画像が得られることになる。
【０１２６】
ステップＳ２２においてはアップ撮影が行われることになる。撮影処理部３０１の撮影制御部３１２は、カメラ９１を制御して撮影画像の撮影を行う。照明制御部３１４は、撮影制御部３１２による撮影に合わせて、上ストロボユニット８２、足下ストロボユニット８５、正面ストロボ９２などの内部に設けられるストロボ発光管を発光させ、利用者にストロボ光を照射する。画像処理部３１３は、撮影によって得られた画像から、利用者の上半身が写る範囲をトリミングにより切り出し、所定の画像処理を施して、選択された写りコースに応じた撮影画像を生成する。表示制御部３１１は、生成された撮影画像を撮影結果としてタッチパネルモニタ９３に表示させる。
【０１２７】
撮影処理部３０１の各部によるこのような処理が各回の撮影毎に行われる。ステップＳ２３，Ｓ２４において、撮影処理部３０１は、それぞれ２，３回目の撮影としてアップ撮影を行う。
【０１２８】
ステップＳ２５において、表示制御部３１１は、斜め撮影の仕方を説明する画面をタッチパネルモニタ９３に表示させ、斜め撮影のガイダンスを行う。
【０１２９】
斜め撮影のタイミングになったとき、ステップＳ２６において、撮影制御部３１２は、４回目の撮影として斜め撮影を行う。
【０１３０】
また、ステップＳ２７において、撮影制御部３１２は、５回目の撮影として斜め撮影を行う。
【０１３１】
ステップＳ２８において、撮影処理部３０１は、撮影を終えた利用者に対して、編集空間Ａ２−１または編集空間Ａ２−２への移動を案内する。編集空間への移動の案内は、タッチパネルモニタ９３に案内画面を表示させることによって、または音声をスピーカ２３１から出力させることによって行われる。
【０１３２】
以上の処理により、５枚の撮影画像が得られる。その後、図１０のステップＳ２に戻り、５枚の撮影画像に対して編集が施される。
【０１３３】
＜上ストロボユニットの構成＞
ここで、利用者の顔付近にストロボ光を照射する上ストロボユニット８２の構成について説明する。上ストロボユニット８２は、固い光と柔らかい光の両方のストロボ光を照射することが可能な装置である。これにより、顔の立体感が感じられるとともに、嫌な影のない写りの画像を撮影することが可能になる。
【０１３４】
固い光を照射して撮影した画像は、光が当たった部分と影の部分との明るさの差が大きく、立体感が感じられるものになる。一方、柔らかい光を照射して撮影した画像は、光が当たった部分と影の部分との明るさの差が小さいものになる。
【０１３５】
なお、固い光と柔らかい光は相対的なものである。光源からの経路長が長いほど、光の性質は柔らかいものになる。例えば、上ストロボユニット８２内の光源から出射されたストロボ光のうち、拡散カバーの内側に直接届き、拡散カバーを透過して外部に出た光は、上ストロボユニット８２の内部で反射してから拡散カバーの内側に届き、拡散カバーを透過して外部に出た光より固い光となる。
【０１３６】
図１３は、側面視における撮影部２１の一部の構成を示す図である。
【０１３７】
図１３に示すように、正面パネル４１に取り付けられるカメラユニット８１は、扁平直方体状の筐体５０１と、筐体５０１より厚く、高さのある筐体５０２から構成される。筐体５０２が正面パネル４１に固定され、筐体５０２の正面側（撮影空間Ａ１側）に筐体５０１が固定される。筐体５０１と筐体５０２の内部は繋がっており、この内部の空間にカメラ９１などが設けられる。
【０１３８】
カメラユニット８１の上方には上ストロボユニット８２が斜め下を向けて設けられる。上ストロボユニット８２は、図示せぬ取り付け部材によって正面パネル４１などに固定される。
【０１３９】
上ストロボユニット８２は、椀形状の笠部５１１に、扁平ドーム状の拡散カバー５１２を被せることによって構成される。拡散カバー５１２は例えば乳白色のアクリル樹脂などにより構成され、透光性を有する。上ストロボユニット８２の内部のストロボ発光管からの光は、拡散カバー５１２を透過することで拡散し、カメラユニット８１を前にして立つ利用者の顔付近を照射する。
【０１４０】
図１３に示すように、上ストロボユニット８２は、拡散カバー５１２の少なくとも一部が、カメラユニット８１を構成する筐体５０１の正面よりも利用者に近い位置に突き出すように取り付けられる。
【０１４１】
図１４は、平面視における撮影部２１の構成を示す図である。
【０１４２】
カメラユニット８１の左側に設けられる左照明ユニット８３は、四角柱状のベース部５２１に、扁平ドーム状の拡散カバー５２２を被せることによって構成される。ベース部５２１は、正面パネル４１と側面パネル４２Ｂの接続部近傍から、撮影空間Ａ１の中央方向に拡散カバー５２２が向くように斜めに突出して設けられる。なお、この方向は、被写体となる利用者が、カメラ９１の撮像範囲の中心に来るように立つためである。
【０１４３】
カメラユニット８１の右側に設けられる右照明ユニット８４も、左照明ユニット８３と同様の構成を有する。右照明ユニット８４は、四角柱状のベース部５２３に、扁平ドーム状の拡散カバー５２４を被せることによって構成される。ベース部５２３は、正面パネル４１と側面パネル４２Ａの接続部近傍から、撮影空間Ａ１の中央方向に拡散カバー５２４が向くように斜めに突出して設けられる。
【０１４４】
なお、上ストロボユニット８２の拡散カバー５１２、左照明ユニット８３の拡散カバー５２２、および右照明ユニット８４の拡散カバー５２４の大きさはほぼ同じ大きさである。
【０１４５】
カメラユニット８１の周りに設けられる上ストロボユニット８２、左照明ユニット８３、および右照明ユニット８４のうち、カメラ９１による撮影に合わせてストロボ光を発光する装置は上ストロボユニット８２のみである。上ストロボユニット８２の内部にはストロボ光を発光するストロボ発光管が設けられているが、左照明ユニット８３と右照明ユニット８４の内部にはストロボ発光管が設けられていない。
【０１４６】
撮影部２１に設けられる照明装置のうち、上ストロボユニット８２をメインの照明装置として、上ストロボユニット８２のみからストロボ光を当てるようにすることにより、固い光が干渉するのを防ぎ、撮影画像に写る利用者の顔に影が出過ぎてしまうのを防ぐことが可能になる。
【０１４７】
また、メインの照明装置となる上ストロボユニット８２がカメラユニット８１の真上にあり、かつ、カメラユニット８１より前方に突き出していることにより、より固い光を利用者の顔に確実に当てることができる。
【０１４８】
仮に、左照明ユニット８３や右照明ユニット８４をメインとしてそれらの照明装置からストロボ光を照射するとした場合、利用者の立ち位置やポーズによっては固い光を当てることができないことがある。カメラ９１の垂直上方向にある上ストロボユニット８２からストロボ光を照射することにより、利用者の立ち位置やポーズによらずに、ストロボ光を利用者の顔に確実に当てることが可能になる。
【０１４９】
また、上ストロボユニット８２をカメラユニット８１より前方に突き出して設けることにより、利用者がカメラ９１に近づきすぎるのを防ぐことが可能になる。上ストロボユニット８２は、利用者の立ち位置を規制するガイドとしての機能をも有することになる。
【０１５０】
図１５は、上ストロボユニット８２の内部の構成を示す図である。図１５は、拡散カバー５１２を外した状態の上ストロボユニット８２を示している。
【０１５１】
笠部５１１の内側には、笠部５１１の内面に沿って反射板５４１が設けられる。笠部５１１の内側の略中央の位置には、反射板５４１によって囲まれるように円形反射板５４１Ａが設けられ、円形反射板５４１Ａの正面側の略中央にはストロボ発光管５４２が設けられる。
【０１５２】
円形反射板５４１Ａの背面は、笠部５１１の最奥部に設けられた固定部材５３１に固定される。固定部材５３１は、金属製の板部材などを組み合わせることによって構成される。
【０１５３】
固定部材５３１には固定部材５３２が水平方向に取り付けられる。固定部材５３２は、円形反射板５４１Ａの背面側に設けられる。固定部材５３２の左端には、小さい水平面を形成するアーム部５３２Ａが前方に突出して設けられる。アーム部５３２Ａの先端にはソケット５４３が上向きで設けられ、ソケット５４３に電球５４４が取り付けられる。
【０１５４】
固定部材５３２の右端にも同様に、小さい水平面を形成するアーム部５３２Ｂが前方に突出して設けられる。アーム部５３２Ｂの先端にはソケット５４５が上向きで設けられ、ソケット５４５に電球５４６が取り付けられる。
【０１５５】
上ストロボユニット８２の内部に設けられる各構成の詳細について説明する。
【０１５６】
・反射板５４１について
図１６は、上ストロボユニット８２の内部を示す斜視図である。図１６においては、固定部材５３１、固定部材５３２、ソケット５４３、電球５４４、ソケット５４５、および電球５４６などの一部の構成を省略して示している。
【０１５７】
反射板５４１は、正面視円形状の笠部５１１の中心から、８枚の板部材５４１−１乃至５４１−８を放射状に並べて配置することによって構成される。斜線を付して示す板部材５４１−５と同じ形状の８枚の部材が、ボルトやナット等により笠部５１１の内面に沿って固定される。
【０１５８】
板部材５４１−１乃至５４１−８は、それぞれ先細り形状を有するアルミなどの金属製の板を折り曲げることによって形成される。１枚の板部材には、大きさの異なる４つの台形状の面が形成される。板部材５４１−５上に示すように、正面から見て外側の折り曲げ部を折り曲げ部ａ、内側の折り曲げ部を折り曲げ部ｂとすると、折り曲げ部ａに対応する各板部材の折り曲げ部を結んだ正面視形状、および、折り曲げ部ｂに対応する各板部材の折り曲げ部を結んだ正面視形状は、八角形になる。
【０１５９】
板部材５４１−１乃至５４１−８の表面は、研磨処理などの加工が施されることによって高い反射率を有する。高い反射率を実現可能なものであれば、アルミ以外の金属製の板を用いることも可能である。
【０１６０】
また、折り曲げ部ａに対応する各板部材の折り曲げ部を結んだ正面視形状、および、折り曲げ部ｂに対応する各板部材の折り曲げ部を結んだ正面視形状を、八角形以外の多角形とすることも可能である。多角形には、三角形、四角形、五角形などの他の形状も含まれる。
【０１６１】
・円形反射板５４１Ａ（反射部）について
円形反射板５４１Ａは、笠部５１１の最奥部近傍に生じる、板部材５４１−１乃至５４１−８により覆われない部分（図１６において色を付けて示す部分）を覆うように、最奥部から正面側に離した位置に設けられる。板部材５４１−１乃至５４１−８と円形反射板５４１Ａにより、正面視において、笠部５１１の内側のほぼ全体を反射面とする１つの反射板が実現される。
【０１６２】
円形反射板５４１Ａは、略真円状の、１枚の金属製の平板により構成される。円形反射板５４１Ａの表面も、研磨処理などの加工が施されることによって高い反射率を有する。
【０１６３】
なお、円形反射板５４１Ａの形状が円形であることは、拡散カバー５１２の形状に合わせたものである。円形反射板５４１Ａの各位置において反射したストロボ光は、拡散カバー５１２の内側の略円形の範囲に均一に当たり、拡散カバー５１２を透過して利用者に届くことになる。
【０１６４】
拡散カバー５１２の形状が他の形状である場合、円形反射板５４１Ａの形状も拡散カバー５１２に合わせた形状とすることが可能である。例えば、拡散カバー５１２の形状が略扁平八角錐状である場合、それに合わせて、八角形の金属性の平板により円形反射板５４１Ａを構成するようにしてもよい。
【０１６５】
・ストロボ発光管５４２について
図１６に示すように、ストロボ発光管５４２は、発光管をＣ字型に曲げて形成したＣ字型部５４２Ａを有する。Ｃ字型部５４２Ａは、所定角度以上の円弧形状を有する部分である。Ｃ字型部５４２Ａの端には短い直線状の部分が設けられる。ストロボ発光管５４２の形状を、Ｃ字型ではなく、所定角度以上の円弧形状に発光管を曲げた部分を有する他の形状とすることもできる。
【０１６６】
ストロボ発光管５４２は、Ｃ字型部５４２Ａの中心が、正面視において上ストロボユニット８２のほぼ中心に位置するように設けられる。ストロボ発光管５４２の背面側には円形反射板５４１Ａが設けられる。
【０１６７】
図１７は、ストロボ発光管５４２の正面視における配置を模式的に示す図である。
【０１６８】
図１７の矢印に示すように、Ｃ字型部５４２Ａから円形反射板５４１Ａの各位置までの距離がほぼ一定であるから、Ｃ字型部５４２Ａから出射したストロボ光は３６０度ほぼ均一に広がることになる。図１７の位置ｐは、上ストロボユニット８２（円形反射板５４１Ａ）の中心位置である。
【０１６９】
・電球５４４，５４６について
電球５４４と電球５４６は、例えば、LED電球、電球型蛍光灯である。電球５４４と電球５４６は、撮影空間Ａ１で撮影作業が行われている間、常時点灯する。
【０１７０】
図１５を参照して説明したように、電球５４４と電球５４６は、ストロボ発光管５４２とほぼ同じ高さに並べて、かつ、ストロボ発光管５４２に近い位置に設けられる。電球５４４と電球５４６からの光を、反射板５４１などで反射させて利用者を常時照射することにより、撮影画像の撮影時（ストロボ発光管５４２を発光させるタイミング）と同様の環境をライブビュー画像の表示時においても実現することが可能になる。タッチパネルモニタ９３に表示されるライブビュー画像の写りが撮影画像の写りに近いものになることから、利用者は撮影画像の写りをイメージしやすくなる。
【０１７１】
＜各構成の配置関係について＞
ここで、各構成の配置関係について説明する。
【０１７２】
・ストロボ発光管５４２と円形反射板５４１Ａの配置関係
図１８は、ストロボ発光管５４２と円形反射板５４１Ａの配置を模式的に示す図である。なお、図１８においては円形反射板５４１Ａの側面視形状が平板状とされているが、円弧形状であってもよい。円弧形状とすることにより、間接光を増やすことができる。
【０１７３】
図１８は、上ストロボユニット８２の構成を側面から見た状態を示している。図１８の右側が正面側（利用者側）となり、左側が背面側となる。図１８に示すように、円形反射板５４１Ａは、ストロボ発光管５４２の背面側に配置される。ストロボ発光管５４２と円形反射板５４１Ａとの間には所定の隙間が形成される。
【０１７４】
ストロボ発光管５４２の正面側から出射されたストロボ光は、矢印Ａ１１，Ａ１２に示すように正面側に直進し、拡散カバー５１２の内側に当たる。一方、ストロボ発光管５４２の背面側から出射されたストロボ光は、矢印Ａ２１，Ａ２２に示すように背面側に直進し、円形反射板５４１Ａにおいて反射した後、矢印Ａ２３，Ａ２４に示すように正面側に進み、拡散カバー５１２の内側に当たる。
【０１７５】
拡散カバー５１２に直接届いたストロボ光と、円形反射板５４１Ａで反射して拡散カバー５１２に届いたストロボ光は、それぞれ拡散カバー５１２を透過して利用者の顔付近を照射する。
【０１７６】
以下、適宜、拡散カバー５１２に直接届き、拡散カバー５１２を透過して上ストロボユニット８２から出射されたストロボ光を直接ストロボ光という。また、円形反射板５４１Ａで反射して拡散カバー５１２に届き、拡散カバー５１２を透過して上ストロボユニット８２から出射されたストロボ光を反射ストロボ光という。
【０１７７】
直接ストロボ光は、短い経路長で上ストロボユニット８２から出射された光であり、固い光として利用者の顔付近に当たる。一方、反射ストロボ光は、円形反射板５４１Ａで反射した分だけ長い経路長で上ストロボユニット８２から出射された光であり、柔らかい光として利用者の顔付近に当たる。
【０１７８】
上ストロボユニット８２の内部構造を以上のような配置で設けることにより、１つの装置から、固い光と柔らかい光の両方の光を照射することが可能になる。すなわち、固い光用と柔らかい光用の２つのストロボ発光管を設ける必要がない。
【０１７９】
また、固い光と柔らかい光を同じ位置から照射することができることから、固い光の当たる範囲と柔らかい光の当たる範囲の中心をそろえることができる。さらに、左照明ユニット８３と右照明ユニット８４からはフラッシュ光が出射されないことから、固い光が干渉することによって嫌な影が生じるのを防ぐことが可能になる。
【０１８０】
図１９は、ストロボ光の当たり方の例を示す図である。
【０１８１】
図１９に示す人物は撮影を行っている利用者である。円形の範囲＃１は、固い光である直接ストロボ光が当たる範囲である。範囲＃１より大きい円形の範囲＃２は、柔らかい光である反射ストロボ光が当たる範囲である。Ｃ字型部５４２Ａを有するストロボ発光管を用いることにより、図１７を参照して説明したようにストロボ光を円周方向に均一に広げることができることから、直接ストロボ光と反射ストロボ光を、同じ位置を中心とする略円形の範囲に当てることが可能になる。
【０１８２】
この状態で撮影を行うことにより、範囲＃１の内側においては立体感がありながらも、範囲＃１の外側であり、範囲＃２の内側においては、影が出過ぎない、つまり、陰影部分の濃淡における階調がはっきりしない写りを実現することができる。
【０１８３】
上述したように、円形反射板５４１Ａとストロボ発光管５４２の間には隙間が設けられる。円形反射板５４１Ａとストロボ発光管５４２の隙間が大きいほど、経路長が長くなるため、反射ストロボ光はより柔らかい光として上ストロボユニット８２から出射される。一方、円形反射板５４１Ａとストロボ発光管５４２の隙間が小さいほど、経路長が短くなるため、反射ストロボ光は、固い光に近い光として上ストロボユニット８２から出射される。
【０１８４】
上ストロボユニット８２の内部の各構成は、例えば図１９に示す、想定する身長の利用者の顔のほぼ中央に固い光と柔らかい光を当てることができるような位置関係、向きで設けられる。
【０１８５】
仮に、図２０に示すように直管型（細棒状）のストロボ発光管を上ストロボユニット８２に縦置きで設けた場合、光の広がり方が均一でないことから、図２１に示すように、額から顎までの縦長の範囲を中心とした範囲に固い光が当たる。従って、額部分に「てかり」が生じてしまう。Ｃ字型部５４２Ａを有するストロボ発光管を用いることにより、このような「てかり」が生じるのを防ぐことも可能になる。また、その固い光が当たる範囲以外は、暗くなってしまうため、この暗くなった範囲を画像処理で明るくするか、別の光源を用いて照射する必要があるが、そのような必要が無い。
【０１８６】
円形反射板５４１Ａの大きさを、板部材５４１−１乃至５４１−８のそれぞれの表面と接するまで大きくし、円形反射板５４１Ａによってストロボ発光管５４２の背面側全体を覆うようにすることも可能である。これにより、円形反射板５４１Ａよりも背面側に回る光をなくすことができる。
【０１８７】
・ストロボ発光管５４２と反射板５４１の配置関係
上述したように、ストロボ発光管５４２は、Ｃ字型部５４２Ａの中心が、正面視において上ストロボユニット８２のほぼ中心に位置するように設けられる。笠部５１１の内側に沿って設けられる反射板５４１との関係においても、ストロボ発光管５４２は、正面視において反射板５４１のほぼ中心に位置するように設けられることになる。
【０１８８】
ストロボ発光管５４２から３６０度均一に拡散したストロボ光のうち、反射板５４１に当たる光は、反射板５４１において反射し、拡散カバー５１２を透過して柔らかい光として利用者に当たることになる。
【０１８９】
・反射板５４１と円形反射板５４１Ａの配置関係
円形反射板５４１Ａは、反射板５４１の正面側に、正面視において反射板５４１のほぼ中心に位置するように設けられることになる。
【０１９０】
＜変形例＞
反射板５４１と円形反射板５４１Ａの材料や反射率等を変更することによって、柔らかい光と固い光の照射量を調整することが可能である。
【０１９１】
また、反射板５４１を構成する板部材５４１−１乃至５４１−８のうち、ストロボ光の反射に用いる板部材の枚数を制御することができるようにしてもよい。
【０１９２】
この場合、上ストロボユニット８２の内部には、板部材５４１−１乃至５４１−８の位置をスライドさせるためのレール、モータなどの構成が設けられる。例えば、撮影処理部３０１の照明制御部３１４（図９）は、モータを駆動させることによって、板部材をスライドさせて隣の板部材の背面側に収納したり、板部材を折り畳んだりして、ストロボ光の反射に用いる板部材の枚数を制御する。隣の板部材の背面側に収納された板部材や折り畳まれた板部材は、反射面が露出しない状態になり、ストロボ光を反射することに用いられない。
【０１９３】
照明制御部３１４は、板部材の枚数を制御することにより、柔らかい光の量を調整することができる。ストロボ光の反射に用いる板部材の枚数が多い場合、柔らかい光の量が多くなる。一方、ストロボ光の反射に用いる板部材の枚数が少ない場合、柔らかい光の量が少なくなり、相対的に、固い光の量が多くなる。柔らかい光の量を調整することにより、照明制御部３１４は、写りを調整することが可能になる。
【０１９４】
照明制御部３１４は、撮影モードに応じて板部材の枚数を制御し、柔らかい光の量を調整する。
【０１９５】
例えば、利用者の顔が大きく写る画像であるアップ画像を撮影する場合、照明制御部３１４は、板部材の枚数を多くし、柔らかい光を多くして撮影を行う。これにより、影が多く出すぎてしまうことを防ぐことができる。
【０１９６】
また、利用者の全身が写る画像である全身画像を撮影する場合、照明制御部３１４は、板部材の枚数を少なくし、柔らかい光を少なくして撮影を行う。全身画像の撮影前、例えば立ち位置を後ろにするような案内が利用者に対して行われる。全身画像に写る顔の大きさはアップ画像に写る顔の大きさより小さいため、柔らかい光を当てる必要性は、アップ画像の撮影時より小さい。固い光を多く照射して撮影を行うことにより、全身がシャープに写る画像を撮影することが可能になる。
【０１９７】
背面側に円形反射板５４１Ａを有するＣ字型部５４２Ａを、上ストロボユニット８２以外の照明装置に設けるようにすることも可能である。
【０１９８】
例えば、Ｃ字型部５４２Ａと円形反射板５４１Ａを、左照明ユニット８３と右照明ユニット８４のうちの一方の内部、または、両方の内部に設けることが可能である。また、Ｃ字型部５４２Ａと円形反射板５４１Ａを足下ストロボユニット８５に設けることも可能である。
【０１９９】
足下ストロボユニット８５に例えば２つのストロボ発光管を上下に設ける場合、上側のストロボ発光管のみを、背面側に円形反射板５４１Ａを有するＣ字型部５４２Ａとし、下側のストロボ発光管を直管型のストロボ発光管とすることも可能である。上側に設けられたストロボ発光管から出射された固い光と柔らかい光の両方の光は、足下ストロボユニット８５の上面から利用者を照射し、下側に設けられたストロボ発光管から出射された固い光は、足下ストロボユニット８５の正面から利用者を照射する。これにより、例えば全身撮影を行う場合において、利用者の足下に効果的に影を付けることが可能になる。
【０２００】
円形反射板５４１Ａとストロボ発光管５４２のうちの少なくとも一方の位置を可変とし、円形反射板５４１Ａとストロボ発光管５４２の間の隙間を制御することによって、固い光と柔らかい光の量をそれぞれ調整することができるようにしてもよい。
【０２０１】
例えば、ストロボ発光管５４２の位置が固定であり、円形反射板５４１Ａを前後（正面側と背面側の方向）に動かすレール部材などが設けられる場合、照明制御部３１４は、モータなどを駆動させることによって円形反射板５４１Ａの位置を制御し、円形反射板５４１Ａとストロボ発光管５４２の間の隙間を調整する。ストロボ発光管５４２の位置が固定されているので、直接ストロボ光は一定の状態で、反射ストロボ光をより柔らかくすることができる。
【０２０２】
また、円形反射板５４１Ａの位置が固定であり、ストロボ発光管５４２を前後に動かすレール部材などが設けられる場合、照明制御部３１４は、モータなどを駆動させることによってストロボ発光管５４２の位置を制御し、円形反射板５４１Ａとストロボ発光管５４２の間の隙間を調整する。
【０２０３】
円形反射板５４１Ａとストロボ発光管５４２の間の隙間の調整も、例えば撮影モードに応じて行われる。例えば、照明制御部３１４は、アップ撮影時や斜め撮影時には円形反射板５４１Ａとストロボ発光管５４２の間の隙間を狭くし、固い光を多くして撮影を行う。また、照明制御部３１４は、全身撮影時には円形反射板５４１Ａとストロボ発光管５４２の間の隙間を広くし、柔らかい光を多くして撮影を行う。これにより、照明制御部３１４は、撮影モードに応じて写りを調整することが可能になる。
【０２０４】
＜照明ユニットの構成＞
次に、左照明ユニット８３と右照明ユニット８４の構成について説明する。
【０２０５】
上述したように、左照明ユニット８３と右照明ユニット８４は、内部にストロボ発光管を有していない照明装置である。以下、左照明ユニット８３の構成について主に説明するが、右照明ユニット８４も同様の構成を有する。
【０２０６】
図２２は、左照明ユニット８３の構成例を示す図である。図２２は、拡散カバー５２２を外した状態の左照明ユニット８３を示している。
【０２０７】
図２２に示すように、左照明ユニット８３の正面には、円形の正面パネル６０１が取り付けられる。正面パネル６０１は金属製の板などより構成される。
【０２０８】
破線で示すように、正面パネル６０１の略中央には横長長方形の開口部６０１Ａが形成される。開口部６０１Ａの正面側には、開口部６０１Ａを覆うように、開口部６０１Ａより若干大きい拡散板６０２が取り付けられる。拡散板６０２は、拡散カバー５２２などと同様に、例えば乳白色のアクリル樹脂などにより構成され、透光性を有する。なお、この場合、透光性を得るため、アクリル樹脂を複数枚使用してもよい。
【０２０９】
図２３は、図２２のA-A線における断面を模式的に示す図である。
【０２１０】
ベース部５２１の内部であって、正面から見て開口部６０１Ａの奥側の位置には電球６１１が設けられる。電球６１１は、撮影空間Ａ１で撮影作業が行われている間、常時点灯する発光体であり、例えばLED電球や電球型蛍光灯が用いられる。
【０２１１】
電球６１１の光は、拡散板６０２により拡散した後、拡散カバー５２２の内側に当たり、拡散カバー５２２を透過して撮影空間Ａ１に光を照射する。左照明ユニット８３が出射する光は、拡散板６０２などを透過するで柔らかい光になる。
【０２１２】
上ストロボユニット８２をメインの照明装置として用いているため、仮に、左照明ユニット８３と右照明ユニット８４の内部にストロボ発光管を設け、上ストロボユニット８２が出射するストロボ光より光量の少ないストロボ光を利用者の左右から照射するとした場合、上ストロボユニット８２が出射するストロボ光によって顔に生じた影を、左右から照射するストロボ光によって消してしまい、立体感が薄まってしまう。
【０２１３】
左照明ユニット８３と右照明ユニット８４からストロボ光を照射せずに、上ストロボユニット８２からのみ、ストロボ光を照射することにより、上ストロボユニット８２が出射するストロボ光によって生じる立体感が残る写りを実現することが可能になる。
【０２１４】
ところで、ストロボ光を照射しないのであれば、左照明ユニット８３と右照明ユニット８４を設ける必要が無いとも考えられる。左照明ユニット８３と右照明ユニット８４を設ける理由は、以下の通りである。
【０２１５】
利用者の目にキャッチライトを入れるためには、左照明ユニット８３と右照明ユニット８４の位置から利用者の顔に向けて光を照射するのが好ましい。キャッチライトは、被写体となる利用者の瞳に写りこませる光である。適切な光を瞳に写りこませる事で、生き生きとした表情を創出することが可能になる。
【０２１６】
左照明ユニット８３と右照明ユニット８４は、他の照明装置が出射したストロボ光を反射し、利用者の目にキャッチライトを入れるために設けられる。すなわち、左照明ユニット８３と右照明ユニット８４はレフ板としての機能をも有する。
【０２１７】
具体的には、上ストロボユニット８２が出射するストロボ光と、背景部２２に設けられるストロボが出射するストロボ光のうち、左照明ユニット８３に向かう光は、左照明ユニット８３の拡散カバー５２２の表面で反射して利用者の顔を照射する。同様に、上ストロボユニット８２が出射するストロボ光と、背景部２２に設けられるストロボが出射するストロボ光のうち、右照明ユニット８４に向かう光は、右照明ユニット８４の拡散カバー５２４の表面で反射して利用者の顔を照射する。
【０２１８】
上ストロボユニット８２の内部に反射板５４１が設けられ、内部の反射効率が高いことから、上ストロボユニット８２からの固い光が左照明ユニット８３と右照明ユニット８４にも届き、それらの拡散カバーの表面で拡散して柔らかい光として利用者を照射することになる。
【０２１９】
左照明ユニット８３の拡散カバー５２２と右照明ユニット８４の拡散カバー５２４で反射した光によって利用者の目にキャッチライトが映り込むことになり、良い写りの画像を撮影することが可能になる。
【０２２０】
また、左照明ユニット８３の拡散カバー５２２と右照明ユニット８４の拡散カバー５２４の形状が扁平ドーム状であることから、綺麗なキャッチライトを映り込ませることが可能になる。拡散カバーの表面で拡散する光は柔らかい光であるから、光が当たった部分と影になった部分との差をなだらかにすることもできる。
【０２２１】
拡散カバーの形状として、扁平ドーム状（丸笠形状）の他に、フラット形状などが考えられる。丸笠形状の方がフラット形状より反射面積が広く、上ストロボユニット８２からの光を効率的に反射することができることから、多い光量の反射光を用いて、綺麗なキャッチライトを映り込ませることが可能になる。当然、フラット形状の拡散カバーを左照明ユニット８３と右照明ユニット８４に設けるようにしてもよい。
【０２２２】
＜正面ストロボ９２の構成＞
図２４は、カメラユニット８１を拡大して示す斜視図である。
【０２２３】
カメラユニット８１は筐体５０１と筐体５０２により構成され、筐体５０１の正面５０１−１に各構成が設けられる。正面５０１−１の下方には四角形の開口部５０１−１Ａが形成され、タッチパネルモニタ９３が嵌め込まれる。また、正面５０１−１の中央より若干上方の位置には円形の開口部５０１−１Ｂが形成され、カメラ９１のレンズが露出して設けられる。
【０２２４】
正面５０１−１の上方には、下縁を円弧状とし、上縁を水平直線状とする略三日月状の開口部５０１−１Ｃが形成される。開口部５０１−１Ｃには拡散パネル６３１が嵌め込まれる。開口部５０１−１Ｃは、筐体５０１の内部に設けられた発光ユニットから出射されたストロボ光を外部に導く開口部となる。正面ストロボ９２は、筐体５０１の内部に設けられた発光ユニットと、開口部５０１−１Ｃに嵌め込まれた拡散パネル６３１とから構成される。拡散パネル６３１も、例えば乳白色のアクリル樹脂などにより構成される。
【０２２５】
図２５および図２６は、筐体５０１の内部に設けられた発光ユニット６５１の構成例を示す図である。
【０２２６】
発光ユニット６５１は、略直方体の本体部６６１の正面に、1枚の板を折り曲げる事で、
側面視ハの字状に拡げた反射面を有する反射板６６２が取り付けられることによって構成される。反射面の間には直管型のストロボ発光管６６３が設けられる。
【０２２７】
ストロボ発光管６６３から出射された光は、反射板６６２において反射するなどして拡散パネル６３１の内側に当たり、拡散パネル６３１を透過する。拡散パネル６３１の形状が三日月状であり、撮影を行っている利用者の顔に近い位置に正面ストロボ９２があるため、利用者の瞳に三日月状の光を映り込ませることが可能になる。すなわち、利用者の瞳に三日月状のキャッチライトが映り込むことになる。
【０２２８】
通常、正面ストロボ９２を有するカメラユニット８１よりも利用者に近い位置に設けられる上ストロボユニット８２から出射された光が利用者の瞳に映り込む。しかし、利用者の身長が想定している身長より低く、上ストロボユニット８２から出射された光が利用者の瞳に適切に映り込まないことがある。
【０２２９】
正面ストロボ９２は、このような場合でも利用者の瞳に綺麗な形のキャッチライトを映り込ませることができるようにするために設けられたものである。
【０２３０】
図２７ＡおよびＢは、キャッチライトの映り込みについて説明する図である。
【０２３１】
図２７Ａに示す円形の範囲＃２１は、上ストロボユニット８２から出射された光が映り込む範囲である。利用者の身長が想定している身長に近い場合、上ストロボユニット８２から出射された光がキャッチライトとして利用者の瞳に映り込む。
【０２３２】
一方、利用者の身長が想定している身長より低い場合、図２７Ｂに示すように、上ストロボユニット８２から出射された光が目の上の範囲＃２２に当たり、正面ストロボ９２の光が、利用者の瞳を含む三日月状の範囲＃２３に当たる。これにより、正面ストロボ９２から出射された光がキャッチライトとして利用者の瞳に映り込むことになる。
【０２３３】
このように、上ストロボユニット８２の光を映り込ませることができない場合であっても、正面ストロボ９２の光をキャッチライトとして利用者の瞳に映り込ませることができる。開口部５０１−１Ｃの下縁が円弧状であるから、瞳の中央近くに円弧状部分を含む、綺麗な形のキャッチライトを映り込ませることができる。
【０２３４】
仮に、図２８Ａに示すように、開口部５０１−１Ｃの形状を、上縁を円弧状、下縁を水平直線状の三日月状とした場合、図２８Ｂの範囲＃３２に示すように、瞳の中央近くに直線部分を含むキャッチライトが正面ストロボ９２の光によって映り込んでしまうが、そのようなことを防ぐことが可能になる。一般的に、キャッチライトの形状としては、四角形などの直線の多い形状より、円形に近い形状の方が綺麗な形状といえる。
【０２３５】
図２９は、カメラユニット８１の構成の他の配置の例を示す図である。
【０２３６】
図２９Ａに示すように、カメラユニット８１の正面５０１−１の下方に正面ストロボ９２を設けることも可能である。図２９Ａの正面ストロボ９２は、上縁を円弧状とし、下縁を水平直線状とする三日月状の開口部を有する。
【０２３７】
利用者の身長が想定している身長より高い場合、図２９Ｂに示すように上ストロボユニット８２の光が目の下の範囲＃４１に当たり、キャッチライトが瞳に映り込ない。円弧状の縁の向きを上下逆にした正面ストロボ９２を設けることにより、正面ストロボ９２の光が範囲＃４２に当たり、キャッチライトとして瞳の下の方に映り込ませることが可能になる。
【０２３８】
なお、開口部５０１−１Ｃの上縁と下縁のうちのいずれか一方を円弧状とするのではなく、両方の縁を円弧状としてもよい。また、開口部５０１−１Ｃの形状を三日月状ではなく略円形状とし、円形により近い形状のキャッチライトを利用者の瞳に映り込ませるようにしてもよい。
【０２３９】
＜他の変形例＞
・ストロボ発光管の例
上ストロボユニット８２の光源としてＣ字型のストロボ発光管５４２が用いられるものとしたが、直管型のストロボ発光管を複数本組み合わせることにより、円形状に近い光源を実現することも可能である。
【０２４０】
図３０は、上ストロボユニット８２の内部に設けられる光源の例を示す図である。
【０２４１】
例えば、図３０Ａに示すように４本の直管型のストロボ発光管６８１−１乃至６８１−４を正方形状に配置して、円形反射板５４１Ａの前方に設けることも可能である。
【０２４２】
また、図３０Ｂに示すように、８本の直管型のストロボ発光管６８１−１乃至６８１−８を正八角形状に配置して、円形反射板５４１Ａの前方に設けることも可能である。
【０２４３】
これによっても、ストロボ発光管５４２を用いた場合と同様に、ストロボ光をほぼ均一に拡散させることができ、利用者の鼻付近を中心とした範囲に固い光と柔らかい光を当てることができる。
【０２４４】
このように、円形状に近い多角形の光源を上ストロボユニット８２の光源として採用することも可能である。多角形には、図３０Ａに示す四角形、図３０Ｂに示す八角形の他に、三角形、五角形などの他の形状も含まれる。
【０２４５】
・反射板の第１の例
図３１は、上ストロボユニット８２の内部に設けられる反射板５４１の第１の変形例を示す図である。
【０２４６】
反射板５４１が板部材５４１−１乃至５４１−８により構成されるものとしたが、図３１Ａ，Ｂに示すように、金属製の板を曲面に加工し、反射板５４１として笠部５１１の内面に沿って設けることも可能である。
【０２４７】
図３１Ａ，Ｂの例においては、笠部５１１の最奥部に形成される円形の開口部を除く、笠部５１１の内面のほぼ全体が反射板５４１により覆われている。反射板５４１の正面側には、笠部５１１の最奥部に形成される円形の開口部を覆うように円形反射板５４１Ａが設けられる。
【０２４８】
反射面を曲面とする反射板５４１を笠部５１１の内面に設けることによっても、上述したように、固い光と柔らかい光を利用者に当てることができる。
【０２４９】
・反射板の第２の例
図３２は、上ストロボユニット８２の内部に設けられる反射板５４１の第２の変形例を示す図である。
【０２５０】
図３２Ａ，Ｂに示すように、円形反射板５４１Ａを設けずに、笠部５１１の内面のほぼ全体を覆う反射板５４１を設けることも可能である。上ストロボユニット８２が図３２Ａ，Ｂに示す構成を有する場合、ストロボ発光管５４２のストロボ光のうち、背面側に向かう光は、その先にある反射板５４１の曲面において反射して拡散カバー５１２に当たり、柔らかい光として利用者の顔を照射することになる。
【０２５１】
笠部５１１の内面のほぼ全体を覆う反射板５４１を設けることによっても、上述したように、固い光と柔らかい光を利用者に当てることができる。
【０２５２】
本技術の実施の形態は、上述した実施の形態に限定されるものではなく、本技術の要旨を逸脱しない範囲において種々の変更が可能である。
【符号の説明】
【０２５３】
１  写真シール作成装置，  ８１  カメラユニット，  ８２  上ストロボユニット，  ８３  左照明ユニット，  ８４  右照明ユニット，  ９１  カメラ，  ９２  正面ストロボ，  ２０１  制御部，  ３０１  撮影処理部，  ３１１  表示制御部，  ３１２  撮影制御部，  ３１３  画像処理部，  ３１４  照明制御部
【図１】
2017037123.tif 000003
【図２】
2017037123.tif 000004
【図３】
2017037123.tif 000005
【図４】
2017037123.tif 000006
【図５】
2017037123.tif 000007
【図６】
2017037123.tif 000008
【図７】
2017037123.tif 000009
【図８】
2017037123.tif 000010
【図９】
2017037123.tif 000011
【図１０】
2017037123.tif 000012
【図１１】
2017037123.tif 000013
【図１２】
2017037123.tif 000014
【図１３】
2017037123.tif 000015
【図１４】
2017037123.tif 000016
【図１５】
2017037123.tif 000017
【図１６】
2017037123.tif 000018
【図１７】
2017037123.tif 000019
【図１８】
2017037123.tif 000020
【図１９】
2017037123.tif 000021
【図２０】
2017037123.tif 000022
【図２１】
2017037123.tif 000023
【図２２】
2017037123.tif 000024
【図２３】
2017037123.tif 000025
【図２４】
2017037123.tif 000026
【図２５】
2017037123.tif 000027
【図２６】
2017037123.tif 000028
【図２７】
2017037123.tif 000029
【図２８】
2017037123.tif 000030
【図２９】
2017037123.tif 000031
【図３０】
2017037123.tif 000032
【図３１】
2017037123.tif 000033
【図３２】
2017037123.tif 000034
【図３３】
2017037123.tif 000035
【図３４】
2017037123.tif 000036